(57)【要約】      （修正有）【課題】複数の受信部を用いて複数のチャンネルの信号を受信する場合に、複数のチャンネルの信号各々の品質が極端に低下することを抑えることができる受信装置を提供する。【解決手段】受信装置１は、第１〜第６チューナ２１〜２６と、全チューナの全チャンネルの受信品質を検出する受信品質検出部１０と、各チューナの受信品質を各受信チャンネルと関連付けて記憶するフラッシュメモリ９と、特定のチャンネルに関して受信品質が所定レベルよりも悪いチューナが、特定のチャンネルを受信するチューナとして選択されている場合に、特定のチャンネルを受信するチューナとして選択されているチューナと他のチューナとの入れ替えを検討する制御部７とを備える。制御部７は、他のチューナの受信チャンネルに関して、特定のチャンネルを受信するチューナとして選択されているチューナが、最悪の受信品質のチューナであるときに入れ替えを禁止する。【選択図】図１
2015035750.tif 000002
【特許請求の範囲】
【請求項１】
複数の受信部と、
前記複数の受信部全てにおける全ての受信可能チャンネルの受信品質を検出する検出部と、
前記検出部の検出結果に基づいて、各受信部の受信品質を各受信チャンネルと関連付けて記憶する記憶部と、
前記記憶部の記憶内容を用いて、特定のチャンネルに関して受信品質が所定レベルよりも悪い受信部が、特定のチャンネルを受信する受信部として選択されている場合に、特定のチャンネルを受信する受信部として選択されている受信部と他の受信部との入れ替えを検討する検討部とを備え、
前記検討部は、前記他の受信部の受信チャンネルに関して、前記特定のチャンネルを受信する受信部として選択されている受信部が、最悪の受信品質の受信部であるときに前記入れ替えを禁止することを特徴とする受信装置。
【請求項２】
前記検討部は、前記他の受信部の候補として、特定のチャンネルに関して受信品質が良い受信部から順に検討する請求項１に記載の受信装置。
【請求項３】
前記複数の受信部全てが受信を行っていないときと、前記複数の受信部の少なくともが受信を行っていないときの双方において、前記検討部が前記入れ替えを検討する請求項１又は請求項２に記載の受信装置。
【請求項４】
前記検出部は、前記複数の受信部全てにおける全ての受信可能チャンネルの受信品質の少なくとも一部を再検出する請求項３に記載の受信装置。
【請求項５】
前記検出部が再検出した受信品質の方が、対応する再検出前の受信品質よりも悪い場合に、前記記憶部は、前記対応する再検出前の受信品質を前記検出部が再検出した受信品質に書き換える請求項４に記載の受信装置。
【請求項６】
前記記憶部は、前記対応する再検出前の受信品質を各受信チャンネル及び検出条件と関連付けて記憶する請求項４に記載の受信装置。
【発明の詳細な説明】
【技術分野】
【０００１】
本発明は、複数の受信部を備えた受信装置に関する。
【背景技術】
【０００２】
テレビジョン受信機やレコーダなどの電気機器の中には、複数の受信部を備えた受信装置を搭載した製品がある。例えば、特許文献１には複数の受信部（チューナ）を備えたテレビジョン受信装置が開示されている。
【先行技術文献】
【特許文献】
【０００３】
【特許文献１】特開２００８−２７８１９５号公報
【発明の概要】
【発明が解決しようとする課題】
【０００４】
複数の受信部を備えた受信装置は、受信部と周辺ＩＣやコネクタの配置による影響のために、特定の受信部が特定の受信周波数（受信チャンネル）で受信妨害を受け易くなっている虞がある。
【０００５】
ここで、特許文献１のテレビジョン受信装置は、受信チャンネル毎に最も良好な受信状態となるチューナを選択している。しかしながら、２画面表示機能などにより複数のチャンネルを同時に受信する場合に、複数の受信チャンネルにおいて最も良好な受信状態となるチューナが重複したときにどのように処理するかについては何ら考慮されていない。したがって、複数の受信チャンネルにおいて最も良好な受信状態となるチューナが重複し、いずれかの受信チャンネルを最も良好な受信状態とはならないチューナで受信した場合に、受信品質が極端に低下する虞がある。
【０００６】
本発明は、上記の点に鑑みなされたものであり、複数の受信部を用いて複数のチャンネルの信号を受信する場合に、複数のチャンネルの信号各々の品質が極端に低下することを抑えることができる受信装置を提供することを目的とする。
【課題を解決するための手段】
【０００７】
上記目的を達成するために本発明に係る受信装置は、複数の受信部と、前記複数の受信部全てにおける全ての受信可能チャンネルの受信品質を検出する検出部と、前記検出部の検出結果に基づいて、各受信部の受信品質を各受信チャンネルと関連付けて記憶する記憶部と、前記記憶部の記憶内容を用いて、特定のチャンネルに関して受信品質が所定レベルよりも悪い受信部が、特定のチャンネルを受信する受信部として選択されている場合に、特定のチャンネルを受信する受信部として選択されている受信部と他の受信部との入れ替えを検討する検討部とを備え、前記検討部は、前記他の受信部の受信チャンネルに関して、前記特定のチャンネルを受信する受信部として選択されている受信部が、最悪の受信品質の受信部であるときに前記入れ替えを禁止する構成（第１の構成）とする。
【０００８】
このような構成によると、複数の受信チャンネルと、その複数の受信チャンネルの受信に用いる複数の受信部との組み合わせにおいて、最悪の受信品質の受信部が選択されることを抑制することができるので、複数の受信部を用いて複数のチャンネルの信号を受信する場合に、複数のチャンネルの信号各々の品質が極端に低下することを抑えることができる。
【０００９】
上記第１の構成の受信装置において、前記検討部が、前記他の受信部の候補として、特定のチャンネルに関して受信品質が良い受信部から順に検討する構成（第２の構成）であることが望ましい。これにより、入れ替えにより、特定のチャンネルに関する受信品質をできるだけ高くすることが可能となる。
【００１０】
また、上記第１又は第２の構成の受信装置において、前記複数の受信部全てが受信を行っていないときと、前記複数の受信部の少なくともが受信を行っていないときの双方において、前記検討部が前記入れ替えを検討する構成（第３の構成）であることが望ましい。これにより、時間帯や天候によって受信品質が変化した場合にも対応可能となり、複数の受信部を用いて複数のチャンネルの信号を受信する場合に、複数のチャンネルの信号各々の品質が極端に低下することをより一層抑えることができる。
【００１１】
また、上記第３の構成の受信装置において、前記検出部が、前記複数の受信部全てにおける全ての受信可能チャンネルの受信品質の少なくとも一部を再検出する構成（第４の構成）であることが望ましい。これにより、記憶部の記憶内容に関しても時間帯や天候によって受信品質が変化した場合にも対応可能となり、複数の受信部を用いて複数のチャンネルの信号を受信する場合に、複数のチャンネルの信号各々の品質が極端に低下することをより一層抑えることができる。
【００１２】
また、上記第４の構成の受信装置において、記憶部の記憶量を抑える観点から、前記検出部が再検出した受信品質の方が、対応する再検出前の受信品質よりも悪い場合に、前記記憶部が、前記対応する再検出前の受信品質を前記検出部が再検出した受信品質に書き換える構成（第５の構成）としてもよい。
【００１３】
また、上記第４の構成の受信装置において、受信品質の変化により精度良く対応可能にする観点から、前記記憶部が、前記対応する再検出前の受信品質を各受信チャンネル及び検出条件と関連付けて記憶する構成（第６の構成）としてもよい。
【発明の効果】
【００１４】
本発明に係る受信装置によると、複数の受信部を用いて複数のチャンネルの信号を受信する場合に、複数のチャンネルの信号各々の品質が極端に低下することを抑えることができる。
【図面の簡単な説明】
【００１５】
【図１】本発明の第１実施形態に係る受信装置である録画装置を示すブロック図である。
【図２】チャンネル選局設定処理を示すフローチャートである。
【図３】録画設定処理を示すフローチャートである。
【図４】チューナ組み合わせ検討処理を示すフローチャートである。
【図５】本発明の第４実施形態に係る受信装置である録画装置を示すブロック図である。
【発明を実施するための形態】
【００１６】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００１７】
＜第１実施形態＞
本発明の第１実施形態に係る受信装置である録画装置について、図１を用いてその構成を説明する。図１は録画装置を示すブロック図である。
【００１８】
録画装置１は、図１に示すようにチューナ部２０、信号処理部３、記録部４、出力部５、操作部６、制御部７、メインメモリ８、フラッシュメモリ９、及び受信品質検出部１０を備える。録画装置１は不図示のアンテナやモニタ、或いはテレビジョン受信機に電気的に接続され、テレビジョン放送の録画のために利用される。
【００１９】
チューナ部２０はテレビジョン放送局から提供される放送信号の受信に利用される。チューナ部２０は不図示のアンテナから受信した放送信号の選局及び復調を行う。録画装置１はチューナ部２０に第１チューナ２１から第６チューナ２６までの６個のチューナ（受信部）を備える。それら６個のチューナを用いることで、録画装置１は同じ時間帯に提供される６つの放送信号を受信することができる。すなわち、録画装置１は同じ時間帯に提供される６つのテレビ番組（以下単に「番組」と称す）を録画することができる。なお、図１に示すように、第１チューナ２１と第６チューナ２６とが構造上の距離が最も遠く、続いて第２チューナ２２と第５チューナ２５とが遠くなるよう配置される。
【００２０】
信号処理部３はチューナ部２０から受け取った放送信号を記録部４、出力部５または制御部７に送信する。また、信号処理部３は再生処理がなされた記録部４の録画番組に係る映像音声信号を出力部５に送信する。信号処理部３は放送信号やそれに含まれる映像音声信号に対して分離、復号などといった処理を実行する。
【００２１】
記録部４はチューナ部２０及び信号処理部３を介して放送信号として取得した番組を録画する。記録部４は複数の番組を録画することができる。記録部４はＨＤＤ（Hard disk drive）や光ディスク装置などからなり、録画装置１に内蔵されているもののほか、外付けされていても良い。
【００２２】
出力部５は信号処理部３から受け取った映像音声信号や、メニュー画面、電子番組ガイド等の画像信号を外部に出力する。出力部５の出力信号は録画装置１に電気的に接続される例えばモニタ（図示せず）に送出される。モニタは出力部５の出力信号に基づく映像及び画面データを画面に出力し、音声をスピーカから出力する。
【００２３】
操作部６は録画装置１の筐体表面や不図示のリモコンに設けられた複数の各種操作キーを備える。例えば、操作部６はユーザによる視聴チャンネルの選局に係る操作や、番組の録画予約に係る操作などを受け付ける。
【００２４】
制御部７は不図示の演算部やその他の電子部品で構成される。制御部７はメインメモリ８やフラッシュメモリ９等に記憶、入力されたプログラム、データに基づき、録画装置１の各構成要素から情報を得るとともにそれら構成要素の動作を制御して一連の放送信号の受信処理、録画処理及び出力処理を実現する。
【００２５】
メインメモリ８は各種データを記憶する記憶媒体であり、例えば書き込み可能なＲＡＭ（Random Access Memory）等で構成される。メインメモリ８は、例えば制御部７によって各種情報処理が行われる際の処理データやユーザから受け付けた指令命令等を一時的に記憶しておくためのバッファメモリとしての役割を持つ。
【００２６】
フラッシュメモリ９はＥＥＰＲＯＭ（Electrically Erasable Programmable Read-Only Memory）の一種で、ユーザによるデータの書き込み、消去が可能な記憶媒体である。フラッシュメモリ９は回路基板に実装したままで書き込み、消去が可能である。フラッシュメモリ９は録画装置１の利用時に書き換えが必要な用途、例えば装置の動作設定データやユーザ固有の情報を記憶するために用いられる。
【００２７】
受信品質検出部１０は放送信号の受信品質を検出する。より具体的には、受信品質検出部１０は、放送信号の受信品質を示す指標であるＣ／Ｎ（Carrier to Noise ratio）及びＢＥＲ（Bit error rate）を取得し、Ｃ／Ｎ値とＢＥＲ値それぞれに異なる重み付けを行い、それらの和を算出して受信品質を示す指標としている。第１チューナ２１〜第６チューナ２６はＣ／Ｎ値とＢＥＲ値を出力する機能を備えており、受信品質検出部１０は各チューナのＣ／Ｎ値とＢＥＲ値を信号処理部３経由で監視している。なお、本実施形態とは異なり、Ｃ／Ｎ値とＢＥＲ値のいずれか一方のみを用いて放送信号の受信品質を検出しても構わない。また、Ｃ／Ｎ値及びＢＥＲ値以外の放送信号の受信品質に関係する測定値を用いても構わない。
【００２８】
次に、録画装置１におけるチャンネル選局設定処理について、図２に示すフローに沿って説明する。図２は録画装置１におけるチャンネル選局設定処理を示すフローチャートである。チャンネル選局設定処理は例えば録画装置１を購入したユーザが最初に録画装置１をセットアップする際などに実行される。
【００２９】
まず、ステップＳ１で、制御部７は、探索するチャンネル範囲の最初のチャンネルを選局するよう第１チューナ２１〜第６チューナ２６に指示する。すると、第１チューナ２１〜第６チューナ２６は、指示されたチャンネルの選局を行い、同調の可否を示す信号を制御部７へ送り、制御部７は送られてきた信号に基づいて同調の可否を判定する（ステップＳ２０）。
【００３０】
同調が可能であると判定された場合（ステップＳ２０のＹＥＳ）、ステップＳ３０に進む。ステップＳ３０で制御部７は選局を行ったチャンネルをフラッシュメモリ９に登録する。また、ステップＳ３０で受信品質検出部１０は選局を行ったチャンネルを受信している第１チューナ２１〜第６チューナ２６の各受信品質を検出する。さらに、ステップＳ３０で制御部７は選局を行ったチャンネルと受信品質検出部１０の検出結果（各受信品質）とを関連付けてフラッシュメモリ９に記憶させ、ステップＳ４０に進む。
【００３１】
一方、同調が不可能であると判定された場合（ステップＳ２０のＮＯ）、そのままステップＳ４０に進む。
【００３２】
ステップＳ４０で、制御部７は、次のチャンネルを選局するよう第１チューナ２１〜第６チューナ２６に指示する。すると、第１チューナ２１〜第６チューナ２６は、指示されたチャンネルの選局を行い、同調の可否を示す信号を制御部７へ送り、制御部７は送られてきた信号に基づいて同調の可否を判定する（ステップＳ５０）。
【００３３】
同調が可能であると判定された場合（ステップＳ５０のＹＥＳ）、ステップＳ６０に進む。ステップＳ６０で制御部７は選局を行ったチャンネルをフラッシュメモリ９に登録する。また、ステップＳ６０で受信品質検出部１０は選局を行ったチャンネルを受信している第１チューナ２１〜第６チューナ２６の各受信品質を検出する。さらに、ステップＳ６０で制御部７は選局を行ったチャンネル（受信チャンネル）と受信品質検出部１０の検出結果（各チューナの受信品質）とを関連付けてフラッシュメモリ９に記憶させ、ステップＳ７０に進む。
【００３４】
一方、同調が不可能であると判定された場合（ステップＳ５０のＮＯ）、そのままステップＳ７０に進む。
【００３５】
ステップＳ７０で、制御部７は、探索するチャンネル範囲の全チャンネルを選局したか否かを判定する。全チャンネルを選局していないと判定された場合（ステップＳ７０のＮＯ）、ステップＳ４０に戻る。一方、全チャンネルを選局していると判定された場合（ステップＳ７０のＹＥＳ）、チャンネル選局設定処理を終了する。
【００３６】
以上のチャンネル選局設定処理が完了すると、録画装置１は、全てのチューナ（第１チューナ２１〜第６チューナ２６）における全ての受信可能チャンネルの受信品質をフラッシュメモリ９に記憶している状態になる。なお、本実施形態と異なり、全てのチューナ（第１チューナ２１〜第６チューナ２６）における全ての受信可能チャンネルの受信品質をメインメモリ８に記憶させてもよく、メインメモリ８、フラッシュメモリ９以外の不揮発性メモリを設けてその不揮発性メモリに記憶させてもよい。
【００３７】
次に、録画装置１における録画設定処理について、図３に示すフローに沿って説明する。図３は録画装置１における録画設定処理を示すフローチャートである。
【００３８】
操作部６がユーザによる録画設定モードへの移行を指示する操作を受け付けると、録画装置１は録画設定モードへ移行して録画設定処理を開始する。
【００３９】
まず、ステップＳ１１０で、制御部７は、操作部６の出力信号に基づいて、最初の録画設定が有るか否かを判定する。最初の録画設定がないと判定された場合（ステップＳ１１０のＮＯ）、ステップＳ１１０に戻る。一方、最初の録画設定が有ると判定された場合（ステップＳ１１０のＹＥＳ）、制御部７は、フラッシュメモリ９に記憶されている各受信チャンネルと各チューナの受信品質との関連付けデータを用いて、最初の録画設定における受信チャンネルに関して、受信品質が最良のチューナを選択し（ステップＳ１２０）、ステップＳ１３０に進む。
【００４０】
ステップＳ１３０で、制御部７は、直前の録画設定が完了してから所定の期間（例えば５分）が経過するまでに、次の録画設定が有るようになったか否かを判定する。直前の録画設定が完了してから所定の期間が経過するまでに、次の録画設定が有るようになったと判定された場合（ステップＳ１３０のＹＥＳ）、制御部７は、フラッシュメモリ９に記憶されている各受信チャンネルと各チューナの受信品質との関連付けデータを用いて、今回の録画設定における受信チャンネルに関して、録画時間が重複する録画設定によってまだ選択されていないチューナの中から受信品質が最良のチューナを選択し（ステップＳ１４０）、ステップＳ１３０に戻る。一方、直前の録画設定が完了してから所定の期間が経過しても最初の録画設定がないと判定された場合（ステップＳ１３０のＮＯ）、録画設定処理を終了する。
【００４１】
以上の録画設定処理が完了すると、各録画設定で使用されるチューナが仮決定される。しかしながら、録画時間が重複する録画設定が増えるほど、最後の方の録画設定で選択可能なチューナの数が減ることになるので、この仮決定の状態のままでは、最後の方に選択されたチューナの受信品質が極端に悪い場合がある。そこで、本実施形態では後述するチューナ組み合わせ検討処理を実行する。
【００４２】
なお、複数の録画設定が同時に決定される場合には、例えば録画番組入力画面において上から下に表示されている録画設定の順序を、録画設定された時間順としてもよい。録画設定の内容としては、例えば、録画開始時刻、録画終了時刻、受信チャンネル、録画モードなどを挙げることができる。
【００４３】
制御部７は、録画設定が完了した時点でその録画設定をフラッシュメモリ９に記憶させ、録画が終了した録画設定をフラッシュメモリ９から削除する。また、録画設定がフラッシュメモリ９に残っている状態で、新たな録画設定が開始される場合には、ステップＳ１２０の処理内容をステップＳ１４０の処理内容に変更すればよい。
【００４４】
次に、録画装置１におけるチューナ組み合わせ検討処理について、図４に示すフローに沿って説明する。図４は録画装置１におけるチューナ組み合わせ検討処理を示すフローチャートである。本実施形態において、チューナ組み合わせ検討処理は録画設定処理の完了直後に実行される。
【００４５】
まず、ステップＳ２１０で、制御部７は、全ての録画設定を確認し、特定のチャンネルに関して受信品質が所定レベルよりも悪いチューナが、特定のチャンネルを受信するチューナとして選択されているか否かを判定する。
【００４６】
特定のチャンネルに関して受信品質が所定レベルよりも悪いチューナが、特定のチャンネルを受信するチューナとして選択されていないと判定された場合（ステップＳ２１０のＮＯ）、現状の組み合わせで受信品質に問題がないので、チューナの組み合わせを変更することなく、チューナ組み合わせ検討処理を終了する。
【００４７】
一方、特定のチャンネルに関して受信品質が所定レベルよりも悪いチューナが、特定のチャンネルを受信するチューナとして選択されていると判定された場合（ステップＳ２１０のＹＥＳ）、制御部７は、フラッシュメモリ９に記憶されている各受信チャンネルと各チューナの受信品質との関連付けデータを用いて、全てのチューナ（第１チューナ２１〜第６チューナ２６）における特定のチャンネルの受信品質を比較し（ステップＳ２２０）、ステップＳ２３０に進む。ここで、特定のチャンネルに関して受信品質が所定レベルよりも悪く、或る録画設定において特定のチャンネルを受信するチューナとして選択されているチューナをチューナＡと呼ぶ。
【００４８】
ステップＳ２３０で、制御部７は、特定のチャンネルに関して、チューナＡが全てのチューナ（第１チューナ２１〜第６チューナ２６）の中で最悪の受信品質であるか否かを判定する。
【００４９】
特定のチャンネルに関して、チューナＡが全てのチューナの中で最悪の受信品質でないと判定された場合（ステップＳ２３０のＮＯ）、制御部７は、特定のチャンネルに関して、チューナＡより受信品質が良いチューナが有るか否かを判定する（ステップＳ２４０）。特定のチャンネルに関して、チューナＡより受信品質が良いチューナがないと判定された場合（ステップＳ２４０のＮＯ）、チューナの組み合わせを変更しても特定のチャンネルに関して受信品質の向上が見込めないので、チューナの組み合わせ変更を実施せずにチューナ組み合わせ検討処理を終了する。
【００５０】
特定のチャンネルに関して、チューナＡが全てのチューナの中で最悪の受信品質であると判定された場合（ステップＳ２３０のＮＯ）、ステップＳ２５０に進む。また、特定のチャンネルに関して、チューナＡより受信品質が良いチューナが有ると判定された場合も（ステップＳ２４０のＹＥＳ）、ステップＳ２５０に進む。
【００５１】
ステップＳ２５０で、制御部７は、特定のチャンネルに関して、受信品質が最良のチューナを抽出し、ステップＳ２６０に進む。ここで、ステップＳ２５０で抽出したチューナをチューナＢと呼ぶ。ステップＳ２６０で、制御部７は、録画設定におけるチューナＢの受信チャンネルに関して、チューナＡが最悪の受信品質のチューナであるか否かを判定する。
【００５２】
録画設定におけるチューナＢの受信チャンネルに関して、チューナＡが最悪の受信品質のチューナであると判定された場合（ステップＳ２６０のＹＥＳ）、制御部７は、現状の受信部Ｂを受信部Ｂの候補から除外した後、受信部Ｂの候補がまだ残っているか否かを判定する（ステップＳ２７０）。受信部Ｂの候補がまだ残っていると判定された場合（ステップＳ２７０のＹＥＳ）、ステップＳ２５０に戻る。受信部Ｂの候補がまだ残っていないと判定された場合（ステップＳ２７０のＮＯ）、チューナの組み合わせを変更してもチューナＡが特定のチャンネルとは別のチャンネルに関して受信品質の最悪になるので、チューナの組み合わせ変更を実施せずにチューナ組み合わせ検討処理を終了する。
【００５３】
一方、録画設定におけるチューナＢの受信チャンネルに関して、チューナＡが最悪の受信品質のチューナでないと判定された場合（ステップＳ２６０のＮＯ）、制御部７は、チューナＡとチューナＢとの入れ替えを行い（ステップＳ２８０）、チューナ組み合わせ検討処理を終了する。なお、チューナＡが特定のチャンネルを受信している期間、チューナＢが受信をおこなっていない場合は、録画設定におけるチューナＢの受信チャンネルに関して、チューナＡが最悪の受信品質のチューナでないと判定すればよい。
【００５４】
また、チューナＡが複数存在する場合には、図４に示すチューナ組み合わせ検討処理をチューナＡの個数分だけ実行すればよい。
【００５５】
以上のチューナ組み合わせ検討処理が完了すると、各録画設定の受信チャンネルそれぞれに関して、最悪の受信品質になるチューナが選択されることを極力防止することができる。
【００５６】
以上説明した本実施形態に係る受信装置は、第１〜第６チューナ２１〜２６と、第１〜第６チューナ２１〜２６全てにおける全ての受信可能チャンネルの受信品質を検出する受信品質検出部１０と、受信品質検出部の検出結果に基づいて、各チューナの受信品質を各受信チャンネルと関連付けて記憶するフラッシュメモリ９と、フラッシュメモリ９の記憶内容を用いて、特定のチャンネルに関して受信品質が所定レベルよりも悪いチューナが、特定のチャンネルを受信するチューナとして選択されている場合に、特定のチャンネルを受信するチューナとして選択されているチューナと他のチューナとの入れ替えを検討する制御部７とを備える。そして、制御部７は、他のチューナの受信チャンネルに関して、特定のチャンネルを受信するチューナとして選択されているチューナが、最悪の受信品質のチューナであるときに入れ替えを禁止する構成である。
【００５７】
このような構成によると、複数の受信チャンネルと、その複数の受信チャンネルの受信に用いる複数の受信部との組み合わせにおいて、最悪の受信品質の受信部が選択されることを抑制することができるので、複数の受信部を用いて複数のチャンネルの信号を受信する場合に、複数のチャンネルの信号各々の品質が極端に低下することを抑えることができる。
【００５８】
また、制御部７は、他のチューナの候補として、特定のチャンネルに関して受信品質が良いチューナから順に検討している。これにより、入れ替えにより、特定のチャンネルに関する受信品質をできるだけ高くすることが可能となる。
【００５９】
＜第２実施形態＞
次に、本発明の第２実施形態に係る受信装置である録画装置について説明する。なお、本実施形態に係る受信装置である録画装置の基本的な構成は図１を用いて説明した第１実施形態に係る受信装置である録画装置と同じであるので、図面の記載及びその説明を省略するものとする。
【００６０】
第１実施形態では、録画設定終了直後にのみチューナ組み合わせ検討処理を実行している。受信チャンネルと、受信に使用されるチューナとに変化が無い場合、受信品質も変化しなければ、第１実施形態のように、録画設定終了直後にのみチューナ組み合わせ検討処理を実行するだけで十分である。
【００６１】
しかしながら、受信チャンネルと、受信に使用されるチューナとに変化が無くても、例えば時間帯や天候によって受信品質が変化することがある。そこで、本実施形態では、図４に示すチューナ組み合わせ検討処理を、録画設定終了直後のみならず、常時実行する。これにより、ステップＳ２１０における判定精度が向上するので、複数のチューナを用いて複数のチャンネルの信号を受信する場合に、複数のチャンネルの信号各々の品質が極端に低下することをより一層抑えることができる。
【００６２】
そして、本実施形態では、ステップＳ２８０におけるチューナＡとチューナＢの入れ替えによって放送番組の受信が妨げられることがないように、ステップＳ２８０におけるチューナＡとチューナＢの入れ替えタイミングを次のように規定している。
（１）チューナＡ、チューナＢともに受信を行っていない場合は、即時入れ替えを実行する。
（２）チューナＡが受信を行っていてチューナＢが受信を行っていない場合は、チューナＡの受信チャンネルでＣＭが放送されているタイミングで入れ替えを実行する。ただし、チューナＡが受信を行っていてチューナＢが受信を行っていない場合でも、チューナＡの受信チャンネルで放送休止中か放送局からテスト信号が送信されている期間中であれば、即時入れ替えを実行する。
（３）チューナＡ、チューナＢともに受信を行っている場合は、チューナＡの受信チャンネルでＣＭが放送されており、且つ、チューナＢの受信チャンネルでＣＭが放送されているタイミングで入れ替えを実行する。ただし、チューナＡの受信チャンネル、チューナＢの受信チャンネルのいずれか一方で放送休止中か放送局からテスト信号が送信されている期間中であれば、他方でＣＭが放送されているタイミングで入れ替えを実行する。また、チューナＡの受信チャンネル、チューナＢの受信チャンネル双方で放送休止中か放送局からテスト信号が送信されている期間中であれば、即時入れ替えを実行する。
（４）録画装置１が複数のチャンネルをまるごと録画（ほぼ常時録画）する所謂サーバーモデルである場合には、毎日深夜にメンテナンス時間（録画を実施しない時間帯）が設けられている。そこで、上記（２）や（３）においてタイミングが合わずに入れ替えが実行されていなければ、このメンテナンス時間に入れ替えを実行する。
【００６３】
＜第３実施形態＞
次に、本発明の第３実施形態に係る受信装置である録画装置について説明する。なお、本実施形態に係る受信装置である録画装置の基本的な構成は図１を用いて説明した第１実施形態に係る受信装置である録画装置と同じであるので、図面の記載及びその説明を省略するものとする。
【００６４】
第２実施形態では、図４に示すチューナ組み合わせ検討処理を、録画設定終了直後のみならず、常時実行し、図４のステップＳ２１０における判定精度を向上させている。
【００６５】
しかしながら、第２実施形態では、図４のステップＳ２２０で比較される受信品質のうち、チューナＡ除くチューナの各受信品質は録画設定終了直後に検出されたものであるため、例えば時間帯や天候によって現時点での受信品質と異なっていることがある。
【００６６】
そこで、本実施形態では、図４のステップＳ２２０において、受信を行っていないチューナに関しては、受信品質検出部１０が全てのチャンネルの受信品質を再検出するようにする。制御部７は、フラッシュメモリ９に記憶されている各受信チャンネルと各チューナの受信品質との関連付けデータにおいて、再度検出した受信品質の方が悪い場合にその再度検出した受信品質に書き換えるようにすればよい。或いは、制御部７は、フラッシュメモリ９に記憶されている各受信チャンネルと各チューナの受信品質との関連付けデータにおいて、各チューナの受信品質を受信チャンネルだけでなく、天候や時刻などとも関連付けて記憶するようにしてもよい。これにより、ステップＳ２２０における比較精度が向上するので、複数のチューナを用いて複数のチャンネルの信号を受信する場合に、複数のチャンネルの信号各々の品質が極端に低下することをより一層抑えることができる。
【００６７】
なお、上述した受信品質の再検出を、チャンネル選局設定終了後録画設定開始前に、出来得る限り網羅的に（様々な時刻や様々な天候で）実行してもよい。
【００６８】
＜第４実施形態＞
次に、本発明の第４実施形態に係る受信装置である録画装置について説明する。本実施形態に係る録画装置１’は、実施形態に係る録画装置１に受信品質悪化要因情報取得部１１を追加した構成である。
【００６９】
受信品質悪化要因情報取得部１１は、例えばインターネットに接続され、特定のＷＥＢサイトから、受信品質悪化要因情報の一例である雨天情報を取得したり、受信品質悪化要因情報の他の例である録画装置１’設置場所周辺の電車や飛行機などの運行情報を取得する。これにより、録画装置１’は、受信品質が悪化する時期を把握することできるので、第２実施形態や第３実施形態のように、図４に示すチューナ組み合わせ検討処理を常時実行するのではなく、録画設定終了直後と受信品質が悪化する時期とにおいて実行することができる。したがって、チューナ組み合わせ検討処理の過度な実行を防止することができる。
【符号の説明】
【００７０】
１、１’    録画装置（受信装置）
７    制御部
１０    受信品質検出部
２０    チューナ部
２１    第１チューナ（受信部）
２２    第２チューナ（受信部）
２３    第３チューナ（受信部）
２４    第４チューナ（受信部）
２５    第５チューナ（受信部）
２６    第６チューナ（受信部）
【図１】
2015035750.tif 000003
【図２】
2015035750.tif 000004
【図３】
2015035750.tif 000005
【図４】
2015035750.tif 000006
【図５】
2015035750.tif 000007